(57)【特許請求の範囲】
【請求項１】
ラック列の片側に冷却空気と排熱空気とを区画する閉塞空間を形成するために、各ラックの天井面と床面との間に設けられるラックの片側空間閉塞装置であって、一端がラックの天井面で奥行方向にスライド自在に保持される水平な天井パネルと、この天井パネルの他端に連結された正面パネルとからなり、
ラックの天井面に、天井パネルを奥行方向にスライド自在に保持するスライド手段を備え、
該スライド手段は、天井パネルの外枠部に当接して該外枠部の水平方向の動きを規制する規制部を、左右各々の外枠部に対して奥行方向に、少なくとも前後一対ずつ有することを特徴とするラックの片側空間閉塞装置。
【請求項２】
前後一対の規制部が、ラックの幅方向で、各々位置をずらして配置されていることを特徴とする請求項１記載のラックの片側空間閉塞装置。
【請求項３】
前後一対の規制部の少なくとも一方が、天井パネルの外枠部を固定する固定機能を有することを特徴とする請求項１記載のラックの片側空間閉塞装置。
【請求項４】
天井パネルの外枠部は逆Ｕ字状の下溝部を備え、前後一対の規制部のうち、一方が、該外枠部の側面に当接するローラからなり、他方が、該下溝部内にスライド自在に形成された締付ねじからなることを特徴とする請求項１記載のラックの片側空間閉塞装置。
【請求項５】
前後一対の規制部の一方が溝部の内側の内側面に当接し、他方が溝部の外側の内側面に当接するように配置されていることを特徴とする請求項１〜３の何れかに記載のラックの片側空間閉塞装置。
【発明の詳細な説明】
【技術分野】
【０００１】
本発明は、データセンター等において列状に配置されたラックの冷却効率を高めるために用いられるラックの片側空間閉塞装置に関するものである。
【背景技術】
【０００２】
データセンター等においては、サーバやその付属機器を搭載した多数のラックを列状に配置し、対向するラック列間の床面に設けられた冷気供給口からラック前面側に冷却空気を供給し、ラックの内部を通過させてラック背面側から排熱空気を排気する冷却システムが採用されている。この冷却システムにおいては、冷却効率を高めるために、互いのラック列の冷却空気を取り込む前面側を対向して配置した上、冷却空気と排熱空気とが混ざらないように、ラックの通路間を閉塞するような区画を形成することがある。そこで、例えば特許文献１に示されるように、対向するラック列間の通路の上部に遮蔽板を架け渡すことにより、通路内の空間を閉塞し、その上方空間と区画して空気の流動を規制している。
【０００３】
このようにラック列間の通路に冷却空気と排熱空気とを区画するような閉塞空間を形成すれば、多数のラックを効率よく冷却することができ、またこの通路を利用して保守点検作業も行い易いという利点がある。
【０００４】
ところが、実際には前述のようにラック前面側が対向して配置されるとは限らない。対向するラック列が存在しない端部のラック列の場合や、対向するラック列の長さが異なる場合、ラック列の前面側が互いに対向して配置されていない場合には、特許文献1のようにラック列間の通路に閉塞空間を形成することができない。そこで、対向するラックの有無に関わりなくラックの片側の空間を閉塞できる構造が求められているのであるが、通路の幅や床面の冷気供給口の配置に合わせた位置調整が可能でなければならない。また、閉塞空間を形成したことにより、ラック列間の通路での保守点検作業やラックの扉の開閉、荷物運搬などを行う際の支障とならないようにする必要がある。しかしこれらの要求を満足できるものはこれまで提案されていない。
【先行技術文献】
【特許文献】
【０００５】
【特許文献１】特許第３８３５６１５号公報
【発明の概要】
【発明が解決しようとする課題】
【０００６】
従って本発明の目的は、対向するラック列の有無や配置状況に関わらず、その片側に閉塞空間を形成することができ、床面の冷気供給口の配置や通路幅に対応させて位置調整が可能であり、しかも、保守点検作業をおこなう際に支障がないように必要に応じてラックの奥行方向に安定したスムーズなスライド移動が可能なラックの片側空間閉塞装置を提供することである。
【課題を解決するための手段】
【０００７】
上記の課題を解決するためになされた本発明のラックの片側空間閉塞装置は、ラック列の片側に冷却空気と排熱空気とを区画する閉塞空間を形成するために、各ラックの天井面と床面との間に設けられるラックの片側空間閉塞装置であって、一端がラックの天井面で奥行方向にスライド自在に保持される水平な天井パネルと、この天井パネルの他端に連結された正面パネルとからなり、ラックの天井面に、天井パネルを奥行方向にスライド自在に保持するスライド手段を備え、該スライド手段は、天井パネルの外枠部に当接して該外枠部の水平方向の動きを規制する規制部を、左右各々の外枠部に対して奥行方向に、少なくとも前後一対ずつ有することを特徴とするものである。
【０００８】
請求項２記載の発明は、請求項１記載のラックの片側空間閉塞装置において、前後一対の規制部が、ラックの幅方向で、各々位置をずらして配置されていることを特徴とするものである。
【０００９】
請求項３記載の発明は、請求項１記載のラックの片側空間閉塞装置において、前後一対の規制部の少なくとも一方が、天井パネルの外枠部を固定する固定機能を有することを特徴とするものである。
【００１０】
請求項４記載の発明は、請求項１記載のラックの片側空間閉塞装置において、天井パネルの外枠部は逆Ｕ字状の下溝部を備え、
前後一対の規制部のうち、一方が、該外枠部の側面に当接するローラからなり、他方が、該下溝部内にスライド自在に形成された締付ねじからなることを特徴とするものである。
【００１１】
請求項５記載の発明は、請求項１〜３の何れかに記載のラックの片側空間閉塞装置において、前後一対の規制部の一方が溝部の内側の内側面に当接し、他方が溝部の外側の内側面に当接するように配置されていることを特徴とするものである。
【発明の効果】
【００１２】
本発明のラックの片側空間閉塞装置は、水平な天井パネルと、この天井パネルの他端に連結された正面パネルとからなるものであり、これらのパネルによってラックの片側空間を閉塞し、冷却効率を高めることができる。また、天井パネルの外枠部に当接して該外枠部の水平方向の動きを規制する規制部を、左右各々の外枠部に対して奥行方向に、少なくとも前後一対ずつ有するスライド手段により天井パネルをスライド自在に保持することで、スライド時においては、ガタつきを効果的に回避して安定したスムーズなスライド移動を可能とし、ラック列間の通路での保守点検作業やラックの扉の開閉、荷物運搬などを行う際の支障がない構造としている。
【図面の簡単な説明】
【００１３】
【図１】第一の実施形態を示す斜視図である。
【図２】図１からラックの片側空間閉塞装置を除いた説明図である。
【図３】図２の要部拡大図である。
【図４】天井パネルとラック間の保持構造を示す斜視図である。
【図５】図４の断面図である。
【図６】第二の実施形態を示す斜視図である。
【図７】図６からパネルを除いた説明図である。
【図８】天井パネルと規制部の位置関係を説明する図である。
【発明を実施するための形態】
【００１４】
以下に本発明の実施形態を説明する。
【００１５】
（第一の実施形態）
図１は第一の実施形態において、ラック１の正面側に閉塞空間を形成した状態を示す斜視図である。単一のラック１のみを示しているが、実際にはラック１は左右方向に密接配置されてラック列を構成し、以下に説明するラックの片側空間閉塞装置も左右方向に密接配置されて左右方向に連続する閉塞空間を形成するものである。また２は通路の床面であり、床下から供給される冷却空気の供給口が配設されている（不図示）。
【００１６】
本発明のラックの片側空間閉塞装置は、水平な天井パネル５と、この天井パネル５の他端に連結された正面パネル６とからなるものである。天井パネル５は、ラック１の天井面３の両側に取付けられたガイドフレーム４上に、後述するスライド手段によってラックの奥行き方向にスライド自在に支持されている。
天井パネル５はポリカーボネート樹脂等の透明板をアルミニウム等の外枠部７で囲って形成されたもので、透明としたのは内部が暗くなることを防止するためである。図４、図５に示すように、天井パネル５の外枠部７は、中空のフレーム部材で構成され、内部に断面が逆Ｕ字状の下溝部９を備えている。
【００１７】
ラック１の天井面の左右両側には、奥行方向に延びるガイドフレーム４が設けられている。図２、図３に示すようにガイドフレーム４は、断面がコ字状であり、上部に内向きの張出片１０を備えている。この張出片１０には奥行方向に一定ピッチで複数の固着部１１が形成されている。この実施形態では固着部１１は固定孔であり、その上面に第１の規制部材１２を固定することができるようになっていて、必要に応じてその取付位置を変更可能としている。なお、固定穴１０はラック１の奥行き方向に延びる一連の長孔としても良い。
本実施形態において、第１の規制部は、垂直軸を中心とした回転を行うローラからなり、図４および図５に示すように、第１の規制部１２は、天井パネル５の左右の外枠部７の側面に内側から当接し、スライド作業に伴い天井パネル５が水平方向にずれる動きを規制している。
【００１８】
ガイドフレーム４の前側端部には、図３に示すように、支持金具１３が取り付けられている。支持金具１３は後部垂直面と、板材を逆Ｕ字状に折曲形成した上面と、前部垂直面２２と、前部の水平脚部２２ａとからなるもので、前部垂直面２２には支持腕部１４がねじ止めされている。支持金具１３の上部には、パッキンが設けられ、隙間を塞いでいる。
【００１９】
支持腕部１４の上面には、第２の規制部材１５を固定することができるようになっている。本実施形態において、第２の規制部１５は、天井パネル５の外枠部７の内部に形成された逆Ｕ字状の下溝部９内に保持されるナット１６と、該ナット１６と係合する締付ねじ１７からなり、図４および図５に示すように、ナット１６に締付ねじ１７を嵌合させて締付固定し天井パネル５の位置を固定できる構造としている。ナット１６の外側は樹脂部材で覆われている。スライド作業時には、締付ねじ１７を緩めることにより、スムーズにスライドを行うことができる。スライド時には、ナット１６が逆Ｕ字状の下溝部９の内部に当接するため、スライド作業に伴い天井パネル４が水平方向にずれる動きを規制することができる。一方、通常の設置時には、締付ねじ１７を締付固定し、天井パネルを安定的に保持している。
【００２０】
上記した第１の規制部１２と第２の規制部１５と天井パネルの左右の外枠部７とにより構成されるスライド手段によって、第１の規制部１２と第２の規制部１５とが前後左右の４点でラックの片側空間閉塞装置をスライド自在に保持されている。
これにより、ラックの片側空間閉塞装置をスムーズにスライドできる機能と、固定時に安定的に保持する機能とを併存させ、スライド時においては、ラック１の幅方向にずらして設けた、第１の規制部１２と第２の規制部１５とが挟み込むように外枠部７を保持することによって、ガタつきを効果的に回避して安定したスムーズなスライド移動を可能とし、ラック列間の通路での保守点検作業やラックの扉の開閉、荷物運搬などを行う際の支障とならない。
また、固定時においても前後左右の４点で安定的に支持した天井パネル５の外枠部７を前後一対の規制部によって、ラック１の幅方向でそれぞれの位置をずらして配置し、第２の規制部１５締付固定し天井パネル５の位置を固定できる構造できる構造としたため、震動が生じた際にも、安定して保持することができる。
更に、規制部の少なくとも一方を下溝部９内に保持されるナット１６と締付ねじ１７で保持する構成によれば、天井パネル５を必要に応じて簡単な操作でスライドしたり、固定したりすることできるため、保守点検時のスライド作業における操作性の向上が図られる。
【００２１】
なお、この天井パネル５の他端には、正面パネル６が角度調整可能に連結されている。正面パネル６も天井パネル５と同様にポリカーボネート樹脂等の透明板をアルミニウム等の外枠部で囲って形成されたものである。正面パネル６の上側コーナー部には第１の板部として２つの長穴を備えた円弧状板が固着されている。また天井パネル５の他端部のコーナー部には、第２の板部として前記長穴に対応する２つの固定穴を備えた三角板１８が固着されている。これらの円弧状板と三角板１８とを重ね合わせて双方の穴に挿通させたボルトにより止めれば、天井パネル５に対する正面パネル６の角度を長穴の範囲で調整することができる。このように正面パネル６の角度を可変としたのは、床面２の冷却空気の供給口に対応させて正面パネル６の下端位置を調整するためである。
【００２２】
また、図１に示すように、この実施形態においては、正面パネル６の下端にスライド可能な閉塞部材が設けられている。この閉塞部材は硬質ゴム板からなる遮蔽部材１９と、この遮蔽部材１９を正面パネル６の下端にスライド可能に取り付けるスライド部材２０とからなる。スライド部材２０は正面パネル４の金属枠の裏側の縦溝にナットをスライド自在に挿入しボルトにより固定されるもので、ボルトを緩めることにより上下方向にスライド可能である。遮蔽部材１９はスライド部材２０に固定されている。なお、スライド部材２０の下端部にキャスター２１を取付けることができる。これにより正面パネル６の下端を通路２の床面に密着させることができる。
【００２３】
（第二の実施形態）
図６は第二の実施形態において、ラック１の正面側に閉塞空間を形成した状態を示す斜視図である。本実施形態では、ラック１の天井面の前方に支持金具１３が取り付けられ、該支持金具１３に規制部保持部材２３が取り付けられている。なお、規制部保持部材２３はラック１の天井面３に取り付けられていてもよい。
【００２４】
図７に示すように、規制部保持部材２３には、第１の規制部１２および第２の規制部１５が、ラックの奥行方向に隣接して固定されている。
【００２５】
図８は規制部と天井パネル５の外枠部７の位置関係を模式的に示した図である。第１の規制部１２および第２の規制部１５は、天井パネル５の外枠部７の裏側に形成された溝部の内側に挿通されている。本実施形態において、第１の規制部１２および第２の規制部１５は、共に、垂直軸を中心とした回転を行うローラからなり、図８に示すように、第１の規制部１２および第２の規制部１５は、ラックの奥行方向に隣接して配置され、かつ回転中心がラックの幅方向にずらして配置している。この構造により、第１の規制部１２は外枠部７の内側の内側面７ａに当接し、第２の規制部１５は外枠部７の外側の内側面７ｂに当接するように配置され、前後左右の４点で天井パネルをスライド自在に保持することによりスライド作業時における天井パネル４の水平方向の動きを規制している。なお、第１の規制部１２および第２の規制部１５を、所定間隔を持たせて配置すると、枠形状の外枠部７を４点で支持することにより、より安定的に天井パネル４を保持することができる。
【００２６】
本実施形態においては、第１の規制部１２および第２の規制部１５の双方をローラで構成しているが、第１の規制部１２および第２の規制部１５の何れか一方を、締付機能を有する構造とすることもできる。また、実施形態１と同様に、第２の規制部を固定する支持腕部を別途設けることもできる。
【符号の説明】
【００２７】
１  ラック
２  床面
３  天井面
４  ガイドフレーム
５  天井パネル
６  正面パネル
７  外枠部
８  横溝部
９  下溝部
１０  張出片
１１  固着部
１２  第１の規制部材
１３  支持金具
１４  支持腕部
１５  第２の規制部材
１６  ナット
１７  締付ねじ
１８  三角板
１９  遮蔽部材
２０  スライド部材
２１  キャスター
２２  前部垂直面
２３  規制部保持部材
【図１】
0005703469.tif 000002
【図２】
0005703469.tif 000003
【図３】
0005703469.tif 000004
【図４】
0005703469.tif 000005
【図５】
0005703469.tif 000006
【図６】
0005703469.tif 000007
【図７】
0005703469.tif 000008
【図８】
0005703469.tif 000009